(57)【特許請求の範囲】
【請求項１】
枠体（１）内には水を貯えるタンク（２）と、タンク（２）から水が送られる水槽（３）と、水槽（３）から水の供給を受けて加湿空気を発生する加湿空気発生手段（４）と、加湿空気発生手段（４）によって発生した加湿空気が供給される加湿室（５）と、加湿室（５）に空気を送り込む送風機（６）と、送風機（６）で送り込まれた空気によって加湿室（５）から加湿空気が送られる加湿案内筒（７）とを備え、加湿室（５）から送られてきた加湿空気を加湿案内筒（７）の上部に設けた開口部（８）から枠体（１）外に放出する加湿器において、
前記加湿案内筒（７）の開口部（８）の上面を覆うキャップ（９）を設け、
該キャップ（９）の上面には前記加湿案内筒（７）の加湿空気を室内空間に放出するための吹出口（９ａ）を設け、該吹出口（９ａ）には加湿空気を斜め上方に誘導するキャップ（９）の上方に突出する筒状のノズル（１０）を設け、
前記開口部（８）には前記キャップ（９）の外側を囲むように筒状部（８ａ）を形成し、
前記ノズル（１０）の入口側の上板（１０ａ）の下端を前記キャップ（９）の吹出口（９ａ）より低位置に設けると共に、前記ノズル（１０）の先端の出口を前記筒状部（８ａ）より内側に設け、
前記ノズル（１０）の入口側では上板（１０ａ）と下板（１０ｂ）の傾斜角度を一致させて平行に配置すると共に、前記上板（１０ａ）は途中で傾斜角度を変更して、前記ノズル（１０）の出口側では上板（１０ａ）が下板（１０ｂ）に接近するように傾斜角度を設定し、
前記吹出口（９ａ）から前記ノズル（１０）に送られる加湿空気が、前記上板（１０ａ）と前記下板（１０ｂ）とによって誘導され、前記ノズル（１０）の出口の延長上で交差する角度に吹出す加湿空気流を形成することを特徴とする加湿器の吹出構造。
【請求項２】
前記ノズル（１０）の上板（１０ａ）は入口側の下端を前記キャップ（９）の吹出口（９ａ）より低位置に設けると共に、前記吹出口（９ａ）よりも高所で傾斜角度を変更しており、
前記上板（１０ａ）と連続する前記キャップ（９）の上面に形成される凹部によって芳香材（Ａ）を収容する芳香材容器（１１）を構成し、該芳香材容器（１１）内には前記ノズル（１０）の上板（１０ａ）の傾斜面によって芳香材（Ａ）の載置部（１１ａ）を斜め上向きに形成すると共に、容器開口部（１１ｂ）が斜め上向きに開口していることを特徴とする請求項１に記載の加湿器の吹出構造。
【請求項３】
枠体（１）内には水を貯えるタンク（２）と、タンク（２）から水が送られる水槽（３）と、水槽（３）から水の供給を受けて加湿空気を発生する加湿空気発生手段（４）と、加湿空気発生手段（４）によって発生した加湿空気が供給される加湿室（５）と、加湿室（５）に空気を送り込む送風機（６）と、送風機（６）で送り込まれた空気によって加湿室（５）から加湿空気が送られる加湿案内筒（７）とを備え、加湿室（５）から送られてきた加湿空気を加湿案内筒（７）の上部に設けた開口部（８）から枠体（１）外に放出する加湿器において、
前記加湿案内筒（７）の開口部（８）の上面を覆うキャップ（９）を設け、
該キャップ（９）の上面には前記加湿案内筒（７）の加湿空気を室内空間に放出するための吹出口（９ａ）を設け、該吹出口（９ａ）には加湿空気を斜め上方に誘導するキャップ（９）の上方に突出する筒状のノズル（１０）を設け、
前記ノズル（１０）の入口側では上板（１０ａ）と下板（１０ｂ）の傾斜角度を一致させて平行に配置し、前記上板（１０ａ）は入口側の下端を前記キャップ（９）の吹出口（９ａ）より低位置に設け、前記吹出口（９ａ）よりも高所で傾斜角度を変更して、前記ノズル（１０）の出口側では上板（１０ａ）が下板（１０ｂ）に接近するように傾斜角度を設定し、
前記吹出口（９ａ）から前記ノズル（１０）に送られる加湿空気が、前記上板（１０ａ）と前記下板（１０ｂ）とによって誘導され、前記ノズル（１０）の出口の延長上で交差する角度に吹出す加湿空気流を形成すると共に、
前記上板（１０ａ）と連続する前記キャップ（９）の上面に形成される凹部によって芳香材（Ａ）を収容する芳香材容器（１１）を構成し、該芳香材容器（１１）内には前記ノズル（１０）の上板（１０ａ）の傾斜面によって芳香材（Ａ）の載置部（１１ａ）を斜め上向きに形成すると共に、容器開口部（１１ｂ）が斜め上向きに開口していることを特徴とする加湿器の吹出構造。
【請求項４】
前記加湿案内筒（７）内には、加湿案内筒（７）の上下方向に伸びる中心線に沿って上昇する加湿空気が当たる邪魔板（７ａ）を配置し、前記邪魔板（７ａ）の外側には加湿空気を加湿案内筒（７）の内壁面に沿って通過させる間隙（７ｂ）を形成すると共に、
前記吹出口（９ａ）は前記間隙（７ｂ）とは対向しない前記キャップ（９）の中央に設けたことを特徴とする請求項１から３のいずれかに記載の加湿器の吹出構造。
【請求項５】
前記ノズル（１０）の出口を前記容器開口部（１１ｂ）よりも高所に配置すると共に、加湿空気が前記容器開口部（１１ｂ）とは反対方向に吹出すようにしたことを特徴とする請求項２または３に記載の加湿器の吹出構造。
【請求項６】
前記ノズル（１０）の出口の内側には上板（１０ａ）から下向きに張出す突部（１０ｃ）を形成したことを特徴とする請求項１から５のいずれかに記載の加湿器の吹出構造。
【発明の詳細な説明】
【技術分野】
【０００１】
この発明は加湿空気発生手段により発生させた加湿空気を放出させて室内空間の加湿を行なう加湿器に関する。
【背景技術】
【０００２】
従来の加湿器は枠体内に着脱自在なタンクと、このタンク内の水が送られる水槽があり、水槽内の水を加湿空気発生手段である超音波振動子によって霧化させて水槽上部にある加湿室に霧状の加湿空気を発生させている。また、枠体内の下部には加湿室に空気を送る送風機を備え、この送風機で送られる空気は枠体の下部に設けられた送風経路を通り、加湿室とこの送風経路とを連絡する空気口を通過して加湿室へと送られる。加湿空気発生手段によって発生した加湿空気は加湿室で送風機からの風によって加湿室上方の加湿案内筒に導かれて、加湿案内筒の上面開口部を塞ぐキャップに設けた吹出口より室内空間に放出される。
【０００３】
吹出口から室内空間に放出される加湿空気は粒子径の細かい水滴となっており、この水滴が水蒸気となって室内空間に拡散することで加湿しているが、キャップの吹出口から放出される加湿空気は横に広がりやすく、枠体周囲で水蒸気となってしまうため、加湿空気が遠くまで届きにくかった。そこで、キャップの上面に吹出口から斜め上方に向けて筒状のノズルを形成して、ノズル先端の出口から加湿空気を吹出すようにしたものがあり、加湿空気が遠くまで届くようにして、室内空間の全体に加湿空気を拡散できるようにしたものがある（特許文献１参照）。
【０００４】
また、加湿器のキャップに吹出口と芳香材容器を併設し、芳香材の香りや成分を放出させるようにしたものがある。吹出口から吹出す加湿空気を芳香材容器の容器開口部の上方に向けると、加湿空気と一緒に芳香材の香りや成分を拡散させることができるが、芳香材の気化作用が強くなりすぎることがあり、また、芳香材容器に加湿空気が流入して芳香材が薄められたり、芳香材容器から溢れさせたりするなどの問題点がある。このため、芳香材容器の容器開口部を吹出口から吹出す加湿空気とは反対方向を向くように配置し、容器開口部の開口面積を大きく設けることで、芳香材容器の容器開口部から放出される芳香材の成分や香りが吹出口から吹出す加湿空気と混ざらないようにして、室内空間に拡散させるようにしたものがある（特許文献２参照）。
【先行技術文献】
【特許文献】
【０００５】
【特許文献１】実開昭６２−１２４３４号公報。
【特許文献２】特開２０１０−１７５１７２号公報。
【発明の概要】
【発明が解決しようとする課題】
【０００６】
吹出口から放出される加湿空気中には粒子径の大きい水滴が混じることがあり、粒子径の大きい水滴は吹出口から放出されてもすぐに失速して水滴のまま落下してしまい、加湿器の枠体表面や枠体付近の床面を濡らしてしまうことがある。加湿空気を枠体や床面に落下させることなく最適な角度で吹出すことができるようにするため、従来はノズルの形状が大きく長く伸ばされたものとなっている。
【０００７】
一方、ノズルの先端の出口付近には水滴が付着することがあり、ノズルから水滴が落下することがあるため、ノズルの形状を大きくしてノズル先端の出口がキャップの側方に突出していると、ノズル先端から落下した水滴が枠体表面に付着し、枠体表面を伝って床面に流れ落ちることがあり、枠体表面や枠体付近の床面を濡らしてしまう可能性がある。
【０００８】
また、キャップに形状の大きいノズルを備えると、キャップの上面に芳香材容器を設けるスペースがなくなるため、開口面積の大きい芳香材容器を設けることは難しく、芳香材容器を形成するときはノズルのないキャップにするか、芳香材容器の形状が小さくなってしまう問題点があった。
【課題を解決するための手段】
【０００９】
この発明は上記の課題を解決するもので、枠体１内には水を貯えるタンク２と、タンク２から水が送られる水槽３と、水槽３から水の供給を受けて加湿空気を発生する加湿空気発生手段４と、加湿空気発生手段４によって発生した加湿空気が供給される加湿室５と、加湿室５に空気を送り込む送風機６と、送風機６で送り込まれた空気によって加湿室５から加湿空気が送られる加湿案内筒７とを備え、加湿室５から送られてきた加湿空気を加湿案内筒７の上部に設けた開口部８から枠体１外に放出する加湿器において、前記加湿案内筒７の開口部８の上面を覆うキャップ９を設け、該キャップ９の上面には前記加湿案内筒７の加湿空気を室内空間に放出するための吹出口９ａを設け、該吹出口９ａには加湿空気を斜め上方に誘導するキャップ９の上方に突出する筒状のノズル１０を設け、前記開口部８には前記キャップ９の外側を囲むように筒状部８ａを形成し、前記ノズル１０の入口側の上板１０ａの下端を前記キャップ９の吹出口９ａより低位置に設けると共に、前記ノズル１０の先端の出口を前記筒状部８ａより内側に設け、前記ノズル１０の入口側では上板１０ａと下板１０ｂの傾斜角度を一致させて平行に配置すると共に、前記上板１０ａは途中で傾斜角度を変更して、前記ノズル１０の出口側では上板１０ａが下板１０ｂに接近するように傾斜角度を設定し、前記吹出口９ａから前記ノズル１０に送られる加湿空気が、前記上板１０ａと前記下板１０ｂとによって誘導され、前記ノズル１０の出口の延長上で交差する角度に吹出す加湿空気流を形成することを特徴とする加湿器の吹出構造である。
【００１０】
また、前記ノズル１０の上板１０ａは入口側の下端を前記キャップ９の吹出口９ａより低位置に設けると共に、前記吹出口９ａよりも高所で傾斜角度を変更しており、前記上板１０ａと連続する前記キャップ９の上面に形成される凹部によって芳香材Ａを収容する芳香材容器１１を構成し、該芳香材容器１１内には前記ノズル１０の上板１０ａの傾斜面によって芳香材Ａの載置部１１ａを斜め上向きに形成すると共に、容器開口部１１ｂが斜め上向きに開口していることにより、キャップ９にノズル１０と芳香材容器１１とを併設することができるものとなった。
【００１１】
また、枠体１内には水を貯えるタンク２と、タンク２から水が送られる水槽３と、水槽３から水の供給を受けて加湿空気を発生する加湿空気発生手段４と、加湿空気発生手段４によって発生した加湿空気が供給される加湿室５と、加湿室５に空気を送り込む送風機６と、送風機６で送り込まれた空気によって加湿室５から加湿空気が送られる加湿案内筒７とを備え、加湿室５から送られてきた加湿空気を加湿案内筒７の上部に設けた開口部８から枠体１外に放出する加湿器において、前記加湿案内筒７の開口部８の上面を覆うキャップ９を設け、該キャップ９の上面には前記加湿案内筒７の加湿空気を室内空間に放出するための吹出口９ａを設け、該吹出口９ａには加湿空気を斜め上方に誘導するキャップ９の上方に突出する筒状のノズル１０を設け、前記ノズル１０の入口側では上板１０ａと下板１０ｂの傾斜角度を一致させて平行に配置し、前記上板１０ａは入口側の下端を前記キャップ９の吹出口９ａより低位置に設け、前記吹出口９ａよりも高所で傾斜角度を変更して、前記ノズル１０の出口側では上板１０ａが下板１０ｂに接近するように傾斜角度を設定し、前記吹出口９ａから前記ノズル１０に送られる加湿空気が、前記上板１０ａと前記下板１０ｂとによって誘導され、前記ノズル１０の出口の延長上で交差する角度に吹出す加湿空気流を形成すると共に、前記上板１０ａと連続する前記キャップ９の上面に形成される凹部によって芳香材Ａを収容する芳香材容器１１を構成し、該芳香材容器１１内には前記ノズル１０の上板１０ａの傾斜面によって芳香材Ａの載置部１１ａを斜め上向きに形成すると共に、容器開口部１１ｂが斜め上向きに開口していることを特徴とする加湿器の吹出構造である。
【００１２】
また、前記加湿案内筒７内には、加湿案内筒７の上下方向に伸びる中心線に沿って上昇する加湿空気が当たる邪魔板７ａを配置し、前記邪魔板７ａの外側には加湿空気を加湿案内筒７の内壁面に沿って通過させる間隙７ｂを形成すると共に、前記吹出口９ａは前記間隙７ｂとは対向しない前記キャップ９の中央に設けたことにより、加湿案内筒７内を上昇する加湿空気が邪魔板７ａやキャップ９の下面にあたって流れを変えるときに失速し、粒子径の大きい水滴が落下するので、粒子径の小さい軽い水滴だけが吹出口９ａまで届いてノズル１０から吹出すものとなり加湿空気が遠くまで届くものとなった。
【００１３】
また、前記ノズル１０の出口を前記容器開口部１１ｂよりも高所に配置すると共に、加湿空気が前記容器開口部１１ｂとは反対方向に吹出すようにしたことにより、芳香材容器１１の容器開口部１１ｂから放出される芳香材の香り成分がノズル１０から吹出す加湿空気による影響を受けにくくなり、芳香材の香り成分を適度に拡散させることができるものである。
【００１４】
また、前記ノズル１０の出口の内側には上板１０ａから下向きに張出す突部１０ｃを形成したことにより、ノズル１０の出口の内側の上板１０ａに付着する水を突部１０ｃの下端から落下させることができ、ノズル１０の出口付近に水が付着したまま残ることがなくなった。
【発明の効果】
【００１５】
この発明は、加湿空気発生手段４で発生した加湿空気を枠体１外に導く加湿案内筒７と、加湿案内筒７の上部に設けた開口部８の上面を覆うキャップ９と、キャップ９には発生した加湿空気を室内空間に放出するための吹出口９ａとを設け、吹出口９ａには加湿空気を斜め上方に誘導する筒状のノズル１０を形成し、ノズル１０の先端の出口から加湿空気を吹出す構造としている。そして、ノズル１０は入口側の上板１０ａと下板１０ｂとの傾斜角度を一致させ、上板１０ａは入口側と出口側で傾斜角度を変更して、出口側の上板１０ａが下板１０ｂに接近するように設定したものである。
【００１６】
この構成により、加湿案内筒７を上昇する加湿空気は吹出口９ａからノズル１０内に送られ、ノズル１０内では上板１０ａと下板１０ｂに沿って加湿空気の流れが形成され、上板１０ａに沿って誘導されて途中で角度を変更した加湿空気と、下板１０ｂに沿って誘導される加湿空気とが、ノズル１０の出口の延長上で交差する角度に吹出すものとなる。このため、加湿空気は流速を増しながらノズル１０の出口から集中して吹出すので、すぐに上向きや下向きの流れとならず遠くまで届いて水蒸気となって拡散するものとなり、室内空間の広範囲に加湿空気を拡散させることができると共に、加湿空気が落下して枠体１や枠体１付近の床面を加湿空気によって濡らすことはなくなった。
【００１７】
また、加湿案内筒７内に邪魔板７ａを設け、加湿案内筒７の上下方向に伸びる中心線に沿って上昇する加湿空気は邪魔板７ａに当たって方向を変え、邪魔板７ａの外側の間隙７ｂを通過して開口部８に向かうものであり、加湿空気が邪魔板７ａに当たったときに、粒子径の大きい水滴は流速を落として落下する。また、間隙７ｂを通過して加湿案内筒７壁面に沿って上昇する加湿空気は、キャップ９の下面に当たって方向を変え、キャップ９の中心に位置する吹出口９ａに向かうものであり、粒子径の大きい水滴は流速を落として落下するので、粒子径の大きい水滴が吹出口９ａまで届かなくなる。このため、ノズル１０の出口から吹出す加湿空気は粒子径の小さい水滴の集まりとなり、確実に遠くまで届いて水蒸気となって室内空間に拡散するので、枠体１や枠体１付近の床面を加湿空気によって濡らすことはなくなった。
【００１８】
また、加湿案内筒７の開口部８にはキャップ９の外側を囲むように筒状部８ａを配置し、ノズル１０の先端を筒状部８ａより内側に位置させている。このため、ノズル１０の先端に水滴が付着してノズル１０から落下しても、この水滴は筒状部８ａより内側に落下してキャップ９や筒状部８ａを伝って加湿案内筒７の開口部８に誘導されるので、ノズル１０の先端から落下する水滴で枠体１表面や枠体１付近の床面を濡らすことはなくなった。
また、ノズル１０の上板１０ａの入口側の端部をキャップ９の吹出口９ａよりも低位置に設けることで、加湿案内筒７を上昇する加湿空気は上板１０ａに沿って誘導されて吹出口９ａに向かうので、加湿空気が上板１０ａに沿って流れる距離が長くなり、加湿空気の流れを制御できるものとなった。
【００１９】
また、ノズル１０の上板１０ａは入口側の端部をキャップ９の吹出口９ａよりも低位置に設け、キャップ９の吹出口９ａよりも高所で傾斜角度を変更しており、キャップ９の上面に形成される凹部によって芳香材容器１１を構成し、芳香材容器１１内に位置する上板１０ａの入口側の傾斜面によって芳香材Ａの載置面１１ａを形成している。
このため、キャップ９上面に形成される芳香材容器１１の容器開口部１１ｂは斜め上方を向くので、容器開口部１１ｂの開口面積を大きく設けることができ、芳香材容器１１に収納する芳香材Ａの形状を大きくしても傾斜した載置面１１ａによって芳香材Ａの設置や取出しが容易に行うことができる。このため、キャップ９にノズル１０と芳香材容器１１を併設した構造でも、芳香材Ａの芳香成分を適度に拡散させることができる芳香材容器１１を形成することができるものとなった。
【００２０】
また、この発明では、ノズル１０の出口から吹出す加湿空気は、芳香材容器１１の容器開口部１１ｂよりも高所で、容器開口部１１ｂとは反対方向に向かって吹出すから、加湿空気が芳香材容器１１に流入して芳香材Ａの成分が薄められたり、加湿空気によって芳香材Ａの気化作用が促進されたりすることなく、芳香材Ａの芳香成分を適度に拡散させることができるものとなった。
【００２１】
また、ノズル１０の出口の内側の上板１０ａに水が付着することがあり、この水が付着したまま残ると、加湿空気の流れを妨げとなったり、ノズル１０から吹出す加湿空気によって飛ばされて枠体１の表面や床面に落下したりすることがある。この発明では、ノズル１０の出口の内側に上板１０ａから下向きに張出す突部１０ｃを形成しており、ノズル１０の出口の内側の上板１０ａに付着した水は突部１０ｃの下端から落下するものとなり、ノズル１０の出口付近に水が付着したまま残ることがなくなり、加湿空気の流れを妨げたり、水が枠体１や床面に落下して枠体１表面や床面を濡らしたりする心配はなくなった。
【図面の簡単な説明】
【００２２】
【図１】この発明の実施例を示す加湿器の要部断面図である。
【図２】この発明の実施例を示す加湿器に使用されるキャップの要部断面図である。
【図３】この発明の実施例を示すキャップの分解斜視図である。
【図４】この発明の他の実施例を示すキャップの要部断面図である。
【発明を実施するための形態】
【００２３】
図に示す超音波式加湿器の実施例によってこの発明を説明すると、１は加湿器の枠体、２は枠体１内の上部に配置した水を貯えるタンク、３はタンク２から水が送られる水槽であり、タンク２は枠体１の蓋１ａを取外して上部から枠体１内に装着できるようになっている。
【００２４】
１２は突起部１２ａを有する前記タンク２を受ける受け皿、１３は前記タンク２の着脱自在のタンク蓋、１４はタンク蓋１３内に取付けた開閉弁であり、水を補給した前記タンク２を受け皿１２に転倒設置すると開閉弁１４は突起部１２ａで押し開かれ、押し開かれた開閉弁１４からタンク２内の水が受け皿１２を経由して前記水槽３に送られる。
【００２５】
４は前記水槽３内の水を受けて加湿空気を発生させる超音波振動子で構成した加湿空気発生手段、５は加湿空気発生手段４によって発生した霧状の加湿空気が供給される加湿室、７は加湿空気発生手段４によって発生した加湿空気を前記枠体１外へと導くために加湿室５の上部に設けた加湿案内筒である。
【００２６】
６は前記枠体１の下部に設けた送風機、１５は前記加湿室５の側部に設けた空気口、１６は送風機６によって送られる空気の送風経路であり、送風機６を運転すると送風経路１６で発生した風が空気口１５から前記加湿室５に送られ、前記加湿発生手段４によって発生した加湿空気は送風機６からの風によって前記加湿案内筒７を通過する。
【００２７】
８は前記加湿案内筒７の上方の開口部、９は開口部８を覆うキャップ、９ａはキャップ９に設けた加湿空気が放出される吹出口であり、前記加湿案内筒７を通過した加湿空気はキャップ９の吹出口９ａから室内空間に放出されることになる。また、キャップ９は中空の円筒状であり、前記加湿案内筒７の開口部８に設置されるとキャップ９の上部が前記枠体１から上方に突き出した形体となっており、キャップ９は前記加湿案内筒７の設置面で回転可能であり、吹出口９ａを任意の方向に向けることができる。
【００２８】
超音波式加湿器は加湿発生手段４によって発生する加湿空気は粒子径の細かい水滴となっており、室内空間に放出された加湿空気の水滴が水蒸気となって拡散することで室内空間の加湿が行われている。
加湿空気の吹出角度を水平方向に近づけると水滴は下向きに放出されやすくなり、水蒸気となる前に床面に落下しやすくなる。一方、吹出角度を垂直方向に近づけると水滴は上向きに放出されやすくなり、加湿空気が届く範囲が狭くなってしまう。このため、加湿空気が水滴のまま落下することなく遠くまで届かせるためには、加湿空気の吹出角度を床面に対して４０〜６０度の範囲になるように設定したい。
しかし、キャップ９の吹出口９ａから放出される加湿空気は上方に向かいやすく、加湿空気が室内空間の広範囲に届きにくいものとなっていた。また、粒子径の細かい水滴は水蒸気となって拡散することができるが、粒子径の大きい水滴はそのまま落下し、枠体１表面や枠体１付近の床面を濡らしてしまう問題点があった。
【００２９】
このための対策として、１０はキャップ９の上面の吹出口９ａから連続して形成された筒状のノズルであり、ノズル１０は吹出口９ａから放出される加湿空気の吹出角度が斜め上方を向くように所定角度傾斜している。１０ａは吹出口９ａの一方の開口端から傾斜して伸びるノズル１０の上板、１０ｂは吹出口９ａの他側の開口端から傾斜して伸びるノズル１０の下板、１０ｄは上板１０ａと下板１０ｂの両側に配置された側壁である。加湿案内筒７を上昇してきた加湿空気はキャップ９の吹出口９ａを通過してノズル１０に流入し、ノズル１０の上板１０ａと下板１０ｂに沿って流れてノズル１０の先端の出口から所定の角度で吹出すものである。
【００３０】
この発明は、ノズル１０の入口側では上板１０ａと下板１０ｂの傾斜角度を一致させて、上板１０ａと下板１０ｂとを平行に配置している。また、上板１０ａはく字状に形成して傾斜角度を途中で変更しており、ノズル１０の出口側では上板１０ａが下板１０ｂに接近するように設定している。このため、ノズル１０は入口側の開口幅よりも出口側の開口幅の方が狭くなっており、ノズル１０内に流入した加湿空気は流速を増しながらノズル１０の先端の出口に向かうものとなり、入口側よりも流速を増した加湿空気がノズル１０の出口から吹出すものとなる。
【００３１】
また、ノズル１０の上板１０ａに沿って流れる加湿空気は途中で角度を変更するので、上板１０ａに沿って流れる加湿空気と下板１０ｂに沿って流れる加湿空気とが接近するようにノズル１０の出口に向かっており、上板１０ａに沿って流れる加湿空気と下板１０ｂに沿って流れる加湿空気とがノズル１０の出口の延長上で交差する角度で吹出すものとなる。
【００３２】
この構成により、上板１０ａに沿って吹出す加湿空気の下側に、下板１０ｂに沿って吹出す上向きの加湿空気の流れが形成され、下板１０ｂに沿って吹出す加湿空気が上板１０ａに沿って吹き出す加湿空気を上方に押し上げるので、ノズル１０の出口から吹出した加湿空気はすぐに上向きや下向きの流れになることはなく、最適な角度で吹出すことができるものとなった。
【００３３】
このため、加湿空気の粒子径の細かい水滴は届く距離が長く伸び、室内空間の広範囲に加湿空気が拡散して加湿を行うことができ、一方、粒子径の大きい水滴もすぐに落下することがなくなり、床面に落下する前に水蒸気となることができ、枠体１の表面や枠体１付近の床面を濡らす心配はなくなった。
【００３４】
また、加湿器には加湿空気の発生量を調整可能とするボリュームを備えたものがあり、放出された加湿空気がすぐに拡散してしまうと、加湿空気の発生量を少なくしたときに加湿空気が放出されているか否かが、確認できなくなってしまうことがあったが、この発明では加湿空気がノズル１０の出口で集中して密度の濃い霧となるので、加湿空気の発生量を少なくしたときでも、加湿空気を目視で確認することができるものとなった。
【００３５】
図１の実施例において、７ａは加湿案内筒７内の中心位置に設けた円板状の邪魔板であり、邪魔板７ａの外径寸法を加湿案内筒７の内径寸法よりも小さく設けている。７ｂは邪魔板７ａの外側の加湿案内筒７の内壁面との間に形成した間隙であり、加湿空気発生手段４によって発生する加湿空気は加湿案内筒７内を上昇するが、加湿案内筒７の上下方向に伸びる中心線に沿って上昇する加湿空気は邪魔板７ａの下面に衝突して流れを変え、間隙７ｂを通過して加湿案内筒７の内壁面に沿って上昇する。
【００３６】
一方、キャップ９の吹出口９ａはキャップ９の中心位置に配置し、吹出口９ａの開口の大きさを邪魔板７ａより小さくして間隙７ｂとは対向しないように設けている。このため、間隙７ｂを通過して加湿案内筒７の内壁面に沿って上昇する加湿空気は、キャップ９の下面で流れを変えてから吹出口９ａに向かうものとなる。
【００３７】
加湿案内筒７内を上昇する加湿空気に含まれる粒子径の大きい水滴は、邪魔板７ａやキャップ９の下面に衝突して流れを変更することで粒子径が細かくなり、また、粒子径の大きい水滴のまま途中で失速して落下する。このため、吹出口９ａには粒子径の小さい軽い水滴だけが届くものとなり、ノズル１０から吹出す加湿空気には粒子径の大きい水滴が混じることがなくなるから、加湿空気が遠くまで届きやすくなって室内空間の広範囲を加湿することができると共に、水滴のまま落下する加湿空気はほとんどなくなり、枠体１や枠体１周囲の床面を濡らしてしまうことがなくなった。
【００３８】
また、この発明の実施例において、８ａは開口部８の上部に立設した筒状部であり、開口部８の上に載置されたキャップ９の外側を囲むように筒状部８ａが配置されている。一方、ノズル１０の先端の出口が筒状部８ａの内側に位置するように、ノズル１０の長さを設定している。実施例では吹出口９ａをキャップ９の中央に設けて、ノズル１０はキャップ９の中央からキャップ９の側面付近まで伸ばされている。
【００３９】
また、ノズル１０の入口側の上板１０ａの端部がキャップ９の吹出口９ａよりも低く位置するように形成しており、加湿案内筒７内を上昇する加湿空気が、吹出口９ａより下方の上板１０ａに沿って流れを変更しながら吹出口９ａに誘導される構成としている。このため、ノズル１０の先端位置を筒状部８ａより内側に設けて、キャップ９の上面からノズル１０の先端までの距離が短くなったときでも、加湿空気が上板１０ａに沿って流れる距離は長くすることができ、ノズル１０によって加湿空気の流れを確実に制御することができるものとなっている。
【００４０】
加湿空気が吹出すノズル１０の先端の出口付近には水滴が付着し、付着した水滴はノズル１０から落下することがあるが、落下した水滴は必ず筒状部８ａより内側の開口部８もしくはキャップ９の上面に付着するものとなり、水滴は筒状部８ａの内側に流れて開口部８から加湿案内筒７内に戻るので、枠体１の表面に水滴が落下して付着することがなくなり、枠体１の表面や枠体１の周囲の床面を加湿空気で濡らすことがなくなった。
【００４１】
また、ノズル１０の入口側の上板１０ａを吹出口９ａより低位置に設けたときに、キャップ９の上面には吹出口９ａより下方に伸びる傾斜面と連続する凹部が形成される。１１はキャップ９の上面に形成される凹部によって構成する芳香材容器、１１ａは芳香材容器１１の一部を構成するノズル１０の上板１０ａの傾斜面によって形成した載置部、１１ｂは芳香材容器１１の容器開口部、１１ｃは容器開口部１１ｂに開閉自在に装着した開閉蓋である。
【００４２】
Ａは芳香材容器１１内に収納される芳香材であり、実施例ではアロマオイルなどをスポンジなどの含浸材に染み込ませたものや、固形のものを使用しており、容器開口部１１ｂの開閉蓋１１ｃを開いて芳香材Ａを載置部１１の上に設置するものである。開閉蓋１１ｃを閉じているときは芳香材Ａの香りや芳香成分は放出されないものであり、一方、開閉蓋１１ｃを大きく開いたときは、容器開口部１１ｂからの芳香成分の放出量が多くなり、開閉蓋１１ｃを小さく開いたときは、芳香成分の放出量が少なくなり、開閉蓋１１ｃの開閉によって芳香材Ａの香りと芳香成分の放出量を調整することができる。
芳香材Ａを液体のまま使用しないから、芳香材容器１１からの芳香材Ａの流出や、加湿案内筒７内への流入の心配がない。また、芳香材Ａの交換や芳香材容器１１の洗浄も容易に行うことができる。
【００４３】
この構成では、芳香材容器１１の載置部１１ａがキャップ９の上面より高所に位置するので、キャップ９の上面には傾斜した容器開口部１１ｂが形成されるものとなり、芳香材容器１１の大きさに対して、キャップ９の上面の容器開口部１１ｂの開口面積を大きく設けることができる。このため、ノズル１０と併設するために芳香材容器１１の形状が大きくできないときでも、容器開口部１１ｂの開口面積は確保できるものとなり、芳香材Ａの香りと芳香成分が放出しやすいものとなった。
【００４４】
また、芳香材Ａの芳香成分や香りの放出を長く持続させるためには、芳香材容器１１に収納される芳香材Ａはできるだけ大きいものがよいが、含浸材や固形の芳香材Ａを芳香材容器１１の大きさにあわせて隙間なく設置すると、芳香材Ａの設置や取り出しが行ないにくくなることがあるが、この発明では芳香材容器１１の載置部１１ａが傾斜しているので、載置部１１ａの傾斜に沿って芳香材Ａの設置や取り出しを行なうことができ、芳香材Ａの形状を大きくしても設置や取出しが容易にできるものとなる。
【００４５】
また、ノズル１０の先端の出口が芳香材容器１１の容器開口部１１ｂよりも高所に位置すると共に、ノズル１０の出口は芳香材容器１１とは反対方向を向いているから、ノズル１０の出口から吹出す加湿空気が芳香材容器１１の容器開口部１１ｂに向かわないようにすることができ、芳香材Ａの芳香成分はノズル１０から吹出す加湿空気の影響を受けることなく容器開口部１１ｂから放出されて室内空間に拡散するものとなっている。
【００４６】
このようにすると、芳香材容器１１に加湿空気が流入して加湿空気によって芳香材Ａの芳香成分が薄められたり、芳香材容器１１に加湿空気の水分が溜まったりすることがなくなり、芳香材Ａの芳香成分を長く持続できるものとなる。また、芳香材容器１１の容器開口部１１ｂから放出される芳香成分がノズル１０から吹出す加湿空気と直接混じることがないから、芳香材Ａの香りが加湿空気と一緒に室内空間に拡散されることはなく、芳香材Ａの適度な芳香成分と香りが拡散するものとなった。
【００４７】
また、加湿空気がノズル１０内を流れるときに、ノズル１０の出口の内側の上板１０ａに水滴が付着することがある。この水が上板１０ａに付着したまま残り、ノズル１０の出口の内側に徐々に水が溜まってしまうと、加湿空気の流れを妨げたり、水がノズル１０の出口から吹き飛ばされたりして、枠体１の表面や床面を濡らしてしまうことがある。
【００４８】
図４に示す実施例において、１０ｃは上板１０ａから下方に張出すように形成した突部であり、突部１０ｃはノズル１０の出口の内側にく字状の傾斜面を形成している。加湿空気がノズル１０内を流れるときに、ノズル１０の出口の内側の上板１０ａに水滴が付着することがあるが、この水滴は突部１０ｃを流れて突部１０ｃの下端に集まり、突部１０ｃの下端から落下させることができるので、ノズル１０の出口の内側に水が溜まることはなくなった。このため、ノズル１０から吹出す加湿空気の流れを妨げたり、ノズル１０の出口から水が吹き飛ばされたりすることはなくなり、枠体１表面や床面を濡らしたりする心配はなくなった。
【符号の説明】
【００４９】
Ａ    芳香材
１    枠体
２    タンク
３    水槽
４    加湿空気発生手段
５    加湿室
６    送風機
７    加湿案内筒
７ａ  邪魔板
７ｂ  間隙
８    開口部
８ａ  筒状部
９    キャップ
９ａ  吹出口
１０    ノズル
１０ａ  上板
１０ｂ  下板
１０ｃ  突部
１１    芳香材容器
１１ａ  載置部
１１ｂ  容器開口部
【図１】
0005830922.tif 000002
【図２】
0005830922.tif 000003
【図３】
0005830922.tif 000004
【図４】
0005830922.tif 000005